(57)【要約】【課題】管路構成施設の属性情報を把握しやすい形態で表示し得る表示装置を合理的に構成する。【解決手段】管路情報に基づいて管路のレイアウトをディスプレイ２に表示する管路表示部Ｄと、その管路の構成施設の属性情報をディスプレイ２に表示する属性情報表示部Ｅとを備え、この属性情報表示部Ｅは初期表示位置に属性情報を列状に表示する第１表示モードと、複数の属性情報を任意に設定した位置に表示する第２表示モードとの何れかのモードで属性情報を表示するよう構成した。【選択図】　　　　図２
2004127096.tif 000002
【特許請求の範囲】
【請求項１】
管路情報に基づき管路のレイアウトをディスプレイに表示する管路表示手段と、前記管路表示手段でディスプレイに表示された前記管路の管路構成施設に対応して、その管路構成施設の属性情報を表示する属性情報表示手段とを備えている管路表示装置であって、
前記属性情報表示手段は、前記管路表示手段で前記ディスプレイに表示された管路構成施設に対応して１つの初期表示位置情報に基づき前記属性情報を列状に表示する第１表示モードと、複数の属性情報夫々に対して、その属性情報の表示位置の変更を許す任意表示位置情報を付与して、その任意表示位置情報に基づいて複数の属性情報を表示する第２表示モードとの何れかを選択自在に構成され、この第２表示モードを選択した状態で前記ディスプレイに表示された前記複数の属性情報の何れかを指定して表示位置を変更する指示を行った際には、このように指示した位置を任意表示位置情報として取得して、その任意表示位置情報に対応する位置に対して指定された属性情報の表示を行うよう処理形態が設定されている管路表示装置。
【請求項２】
前記管路情報が、前記管路構成施設の形態を示す施設データと、前記管路構成施設の属性を示す属性データとで構成されると共に、前記第２表示モードが選択された場合には、前記属性情報表示手段は、前記ディスプレイに表示された複数の属性情報と、その属性情報に対応する前記複数の任意表示位置情報とを前記施設データのデータ保存領域に対して保存する処理を行い、かつ、施設データのデータ保存領域に保存された属性情報を、施設データのデータ保存領域に保存された任意表示位置情報に基づいて表示するよう処理形態が設定されている請求項１記載の管路表示装置。
【請求項３】
前記属性情報表示手段は、初期状態では前記第１表示モードで複数の属性情報の表示を行い、モード選択手段で第２表示モードが選択された場合に、前記第２表示モードで複数の属性情報の表示を行うよう設定されると共に、この第２表示モードでは、ポインティングデバイスによりディスプレイに表示されている複数の属性情報の１つを指定した後に、このポインティングデバイスによって表示位置を変更する位置を指示することにより、この指示位置が前記表示位置として保存されるよう構成されている請求項１又は２記載の管路表示装置。
【発明の詳細な説明】
【０００１】
【発明の属する技術分野】
本発明は、管路情報に基づき管路のレイアウトをディスプレイに表示する管路表示手段と、前記管路表示手段でディスプレイに表示された前記管路の管路構成施設に対応して、その管路構成施設の属性情報を表示する属性情報表示手段とを備えている管路表示装置に関する。
【０００２】
【従来の技術】
従来の管路表示装置は、ディスプレイに対して管路を表示する場合には管路の近傍位置に対して属性情報を表示するよう構成しているが、例えば、管路としての水道管等の近傍位置に属性情報を表示する際に、複数の水道管等に対応した属性情報同士が重なり合う場合には、重なり合いを少なくするよう属性情報の表示位置を変更する処理を行うものもある（例えば、特許文献１及び２を参照）。
【０００３】
【特許文献１】
特開平７‐２１２１７号公報　（請求項１、段落番号〔００１５〕〜〔００１６〕、〔図１〕、〔図４〕〜〔図６〕）
【特許文献２】
特開２００１‐３２５３１１号公報　（請求項１〜４、段落番号〔００２０〕〜〔００２９〕、〔図５〕〜〔図８〕）
【０００４】
【発明が解決しようとする課題】
属性情報の表示の形態を考えるに、従来から行われている表示形態のように、例えば、上水道の場合、管路の近傍位置に管路に沿って表示することが管路の属性情報を把握しやすくする。しかしながら短い管路や、近傍に分岐する管路が存在する管路の場合には属性情報が重なり合い、属性情報を正確に把握できないものであった。この不都合を解消するために、前述した特許文献１及び特許文献２のように属性情報の表示位置を自動的に変更する処理を行うことも考えられるが、この従来の技術のように属性情報の表示位置を自動的に変更するにも限界があり、例えば、ディスプレイ中において何も表示されない領域が存在する場合でも、この領域を有効に利用して属性情報を表示する処理が行われ難い面もあり改善の余地がある。
【０００５】
又、属性情報の表示位置を自動的に設定する処理によっても属性情報の重なり合いを解消できない場合には、特許文献１の請求項３、段落番号〔００１１〕、段落番号〔００１８〕〜〔００２０〕、及び、特許文献２の段落番号〔００３１〕に記載されるように、オペレータの操作により属性情報の表示位置を変更することも考えられており、このようにオペレータの操作により属性情報を任意に表示する有効性を活用したい面もあった。
【０００６】
この種の管路表示装置では複数の属性情報のうちディスプレイに表示すべきものの数を予め設定するのが一般的である。水道管を例に挙げるとディスプレイに表示される属性情報として管路の延長、管路の種類、管路の材質等、予め設定された複数の属性情報を表示するとなっており、例えば、列状に表示する場合、複数の列状に表示する場合の何れの場合でも、個々の属性情報の配置まで変更できるものでは無く、視覚的に把握しやすい領域に対して複数の属性情報を合理的に配置した形態で表示できるものが望まれている。
【０００７】
尚、視覚的に把握しやすい領域に属性情報を表示するため操作をオペレータが人為的に入力する形態での処理も考えられるが、例えば、この操作を行う場合において表示すべき位置を任意に指定し、属性情報に対応した数値等をキーボードから入力し、この属性情報と対応する管路との関係を設定する操作を必要とするものでは、キーボードから属性情報を入力する場合に属性情報の誤入力を発生することや、入力に無駄な労力を必要とするばかりか、入力に細心の注意を払わねばならず改善の余地がある。
【０００８】
本発明の目的は、管路構成施設の属性情報を把握しやすい形態で表示し得る表示装置を合理的に構成する点にある。
【０００９】
【課題を解決するための手段】
本発明の請求項１に係る管路表示装置の特徴、作用・効果は次の通りである。
〔特徴〕
管路情報に基づき管路のレイアウトをディスプレイに表示する管路表示手段と、前記管路表示手段でディスプレイに表示された前記管路の管路構成施設に対応して、その管路構成施設の属性情報を表示する属性情報表示手段とを備えている管路表示装置において、前記属性情報表示手段は、前記管路表示手段で前記ディスプレイに表示された管路構成施設に対応して１つの初期表示位置情報に基づき前記複数の属性情報を列状に表示する第１表示モードと、複数の属性情報夫々に対して、その属性情報の表示位置の変更を許す任意表示位置情報を付与して、その任意表示位置情報に基づいて属性情報を表示する第２表示モードとの何れかを選択自在に構成され、この第２表示モードを選択した状態で前記ディスプレイに表示された前記複数の属性情報の何れかを指定して表示位置を変更する指示を行った際には、このように指示した位置を任意表示位置情報として取得して、その任意表示位置情報に対応する位置に対して指定された属性情報の表示を行うよう処理形態が設定されている点にある。
【００１０】
〔作用・効果〕
上記特徴によると、ディスプレイにおける初期位置に対して属性情報を表示する第１表示モードでの処理と、ディスプレイに対する表示位置を任意に指定することにより初期位置から離れた位置に属性情報を移動させる形態で表示する第２表示モードでの処理とを実現し、この第２表示モードではディスプレイに表示された属性情報の表示位置の変更を可能にする形態での表示を行うので、人為的に属性情報を入力する労力を必要とせず、誤った情報が表示される不都合も回避される。その結果、管路構成施設の属性情報を把握しやすい形態で表示する表示装置が合理的に構成された。
【００１１】
本発明の請求項２に係る管路表示装置の特徴、作用・効果は次の通りである。
〔特徴〕
請求項１記載の管路表示装置において、前記管路情報が、前記管路構成施設の形態を示す施設データと、前記管路構成施設の属性を示す属性データとで構成されると共に、前記第２表示モードが選択された場合には、前記属性情報表示手段は、前記ディスプレイに表示された複数の属性情報と、その属性情報に対応する前記複数の任意表示位置情報とを前記施設データのデータ保存領域に対して保存する処理を行い、かつ、施設データのデータ保存領域に保存された属性情報を、施設データのデータ保存領域に保存された任意表示位置情報に基づいて表示するよう処理形態が設定されている点にある。
【００１２】
〔作用・効果〕
上記特徴によると、第２表示モードで属性情報を表示した場合には、その属性情報と任意表示位置情報とを施設データの保存領域に保存するので、この保存の後に管路を表示する場合には、施設データの保存領域から施設データと、その属性データと、任意表示位置情報とを読出して表示する処理を行うことで済み、第１表示モードでの表示のように、施設データに基づく表示を行い、この施設データからリンク情報等を介して属性データを求めて表示を行うと云う２ステップの処理を行わずとも１ステップの処理で施設情報と属性情報とを表示できる。その結果、第２表示モードで表示を行った後には、管路のレイアウトを表示し、かつ、任意の位置に属性データを迅速に表示するものとなった。尚、本発明の実施の形態では、属性データはキャラクターコードで成るデータを指し、このキャラクターコードを文字や数字や記号に変換してをディスプレイに表示したものを属性情報と称している。
【００１３】
本発明の請求項３に係る管路表示装置の特徴、作用・効果は次の通りである。
〔特徴〕
請求項１又は２記載の管路表示装置において、前記属性情報表示手段は、初期状態では前記第１表示モードで複数の属性情報の表示を行い、モード選択手段で第２表示モードが選択された場合に、前記第２表示モードで複数の属性情報の表示を行うよう設定されると共に、この第２表示モードでは、ポインティングデバイスによりディスプレイに表示されている複数の属性情報の１つを指定した後に、このポインティングデバイスによって表示位置を変更する位置を指示することにより、この指示位置が前記表示位置として保存されるよう構成されている点にある。
【００１４】
〔作用・効果〕
上記特徴によると、第２表示モードで属性情報を表示した場合に、このように表示された属性情報の１つをポインティングデバイスで指定し、変更すべき表示位置をポインティングデバイスで指示することで、指示した位置に指定した属性情報表示できる。その結果、例えば、マウスのように一般的に使用されているポインティングデバイスを使用した比較的簡単な操作でオペレータが望む任意の位置に属性情報を表示できるものとなった。
【００１５】
【発明の実施の形態】
以下、本発明の実施の形態を図面に基づいて説明する。
図１に示すように、汎用コンピュータ１と、ディスプレイ２と、キーボード３と、ポインティングデバイスとしてのマウス４夫々を備えて管路表示装置が構成されている。この管路表示装置は、管路情報に基づき下水道の管路（汚水管）の他に暗渠（汚水暗渠）、マンホール、汚水ます、雨水ます、ポンプ施設等の管路構成施設をディスプレイ２にレイアウト表示すると共に、夫々の管路構成施設の属性情報をディスプレイ２に表示する機能を有するものであり、任意に選択した情報をプリンター５に出力できる機能も有している。
【００１６】
前記汎用コンピュータ１は、筐体の内部に情報の処理を行うためのマイクロプロセッサを有した処理部Ａと、情報を保存するハードディスクＨＤとを内蔵している。前記ハードディスクＨＤには、この汎用コンピュータ１を作動させる基本的なＯＳ（Ｏｐｅｒａｔｉｎｇ　Ｓｙｓｔｅｍ）が保存されると共に、前記管路情報と表示項目データとを保存するように構成され、この管路情報と、表示項目データとを保存して成るデータベースが形成されている。
【００１７】
前記処理部Ａはマイクロプロセッサと半導体メモリとを備えると共に、図２に示すように、ハードウエア、あるいは、前記ハードディスクＨＤから前記半導体メモリにロードされるソフトウエア、又は、これらの組み合わせで成る管路表示部Ｄ（管路表示手段の一例）と、属性情報表示部Ｅ（属性情報表示手段の一例）と、表示位置変更部Ｆと、編集部Ｇ（編集手段の一例）と、ビデオ処理部Ｈとが形成され、これらと前記データベースからのデータとに基づいて管路構成施設をディスプレイ２に表示するよう機能する。又、管路表示手段Ｄによってディスプレイ２に表示する画像と、属性情報を表示する画像と、背景を表示する画像とが異なるレイヤに生成され、これら複数のレイヤを重ね合わせる処理により、図３に示すように建造物や道路の輪郭を背景にして幹線状に管路Ｌを表示し、この管路Ｌから分岐した形態でマンホールＭを表示し、管路Ｌに沿う位置に、その管路Ｌの属性情報を表示し、マンホールＭから引出した引出し線に沿う位置にマンホールＭの属性情報を表示する。尚、図３において表示される属性情報は、左側から右側に布設年次、形状、大きさ、管種、勾配、延長の順序で配置されている。
【００１８】
図４に示すように、前記データベースは、施設データ領域に対して前記管路情報として保存された〈施設データ〉と、属性データ領域に対して保存された〈属性データ〉とを有すると共に、表示項目データ領域に対して保存された〈表示項目データ〉を有して成っている。尚、データベースに保存される属性データはキャラクターコードで成り、このキャラクタコードを文字、数字、記号等に変換してディスプレイ２に対して表示したものを属性情報と称している。同図には示していないが、建造物や道路等の背景を生成するデータもデータベースの特別に割り当てられた領域に保存される。
【００１９】
前記施設データ領域には〈施設データ〉として、管路構成施設の種類を示すデータと、その管路構成施設の表示位置を示す座標データ（Ｐ、Ｑ）と、属性情報を表示する際に対象となる管路構成施設の位置を示す絶対基準座標（Ｒ）と、この絶対基準座標（Ｒ）を基にして属性情報の表示位置を指定する相対表示座標（Ｓ）（初期表示位置情報の一例）と、属性情報の表示形態の詳細を決める表示スタイルデータとが保存されている。このように〈施設データ〉を構成する管路構成施設の種類を示すデータと、座標データ（Ｐ、Ｑ）と、絶対基準座標（Ｒ）と、相対表示座標（Ｓ）と、表示スタイルデータとは１つの管路構成施設に付随して保存されるものであり、図面には示していないが、この施設データ領域に対しては管路構成施設に対応する数の〈施設データ〉が保存される。
【００２０】
前記管路構成施設の種類を示すデータは、前述した汚水管、汚水暗渠、マンホール、汚水ます、雨水ます、ポンプ施設等の施設の種類を特定するデータであり、座標データ（Ｐ、Ｑ）は、汚水管を例に挙げると汚水管の端部や屈曲点等の布設位置を特定し得るデータである。このデータは経度緯度を用いて表すことも可能であるが、通常は予め設定された特定の位置を基準にした相対座標データとなる。前記絶対基準座標（Ｒ）は、対応する管路構成施設の表示位置を取得するための座標である（この座標は前記座標データ（Ｐ、Ｑ）の座標系に従う）。前記相対表示座標（Ｓ）は、同図に示す第１表示モードにおいて前記絶対基準座標（Ｒ）を基準にして属性情報をディスプレイ２に表示させる位置を決めるデータである。
【００２１】
前記表示スタイルデータは、文字（属性情報）の並び、文字（属性情報）の表示位置、文字（属性情報）の配置、文字（属性情報）のサイズ・フォント、属性情報の表示姿勢（角度）、引出し線の有無夫々を設定するデータで成り、同図に示す第１表示モードにおいては、１つの管路構成施設に対して、この表示スタイルデータが１つだけ生成される。
【００２２】
前記属性データ領域に〈属性データ〉が保存されている。この属性データは汚水管を例に挙げると、布設年次、形状、大きさ、管種、勾配、延長、管底高、地盤高さ等を示すデータである。又、前記表示項目データ領域に対して〈表示項目データ〉が保存されている。この〈表示項目データ〉は、複数の属性データのうちディスプレイ２に表示すべきものを指定するデータである。つまり、属性データは複数存在するばかりでなく、データ量も多いものがある。従って、全ての属性情報をディスプレイ２に表示することが、表示エリアから困難な面があり、施設の属性を理解する上で必要なものを予め選択したデータが〈表示項目データ〉である。尚、この〈表示項目データ〉に基づいてディスプレイ２に表示さる属性情報以外の属性情報は、ディスプレイ２に表示された管路構成施設をカーソルで選択してマウス４のスイッチを操作する等の特別の操作を行うことにより、その管路構成施設の近傍位置に対して一時的に表示できるよう構成されている。
【００２３】
前記施設データと、その施設データに対応する属性データとはリンク情報により関連付けられている。このリンク情報は、例えば、個々の施設データのヘッダー等に対して、その施設データに対応する属性データを特定し得るデータを保存する形式であって良く、これとは逆に夫々の属性データのヘッダー等に対して対応する施設データを特定し得るデータを保存する形式であって良く、これらとは別に、施設データと、その施設データに対応する属性データとを独立した参照テーブルとして一覧化したファイル形式のものであっても良い。
【００２４】
図２に示すように前記管路表示部Ｄは、前記施設データに対応する図形を管路構成施設として前記ビデオ処理部ＨのＶＲＡＭのうちレイヤを形成する特定の領域に描画する機能を有するものである。具体的に汚水管をディスプレイに表示する場合には、任意に設定された表示エリアに存在する汚水管を抽出し、その汚水管の両端の座標や屈曲点の座標（座標データ（Ｐ、Ｑ））を求め、これらの座標を対応するレイヤ上において直線で結ぶ描画を行う処理を実行し、マンホールＭをディスプレイ２に表示する場合には、マンホールＭの座標を求め、その座標にマンホールＭを示す円形のシンボルを描画する処理を実行する。
【００２５】
前記属性情報表示部Ｅは、ディスプレイ２に表示された管路構成施設に対応する属性データのうち、前記表示項目データで指定された属性データからディスプレイ２に表示すべき属性情報を生成して前記ビデオ処理部ＨのＶＲＡＭのうち、前記管路表示部Ｄで描画が行われる前記レイヤと異なる領域に表示する機能を有するものであり、この表示を行う際には、表示スタイルデータに基づき前記管路表示部Ｄによりディスプレイ２に描画された下水道施設の近傍位置と対応する位置に属性情報を位置させて表示するものとなる。具体的には、図３に示すように管路Ｌのように長い領域に直線的に施設が描画されるものに対応する属性情報は、管路Ｌに沿って列状に配置されるものであり、マンホールＭのように小さい領域に施設が描画されるものでは対応する属性情報は、引出し線を介在させることにより対象とする姿勢の位置から比較的離間した位置に表示される。
【００２６】
又、この属性情報表示部Ｅによって管路構成施設に対応した属性情報をディスプレイ２に表示する場合に、第１表示モードと第２表示モードとの何れか一方のモードで表示を行う点、及び、第２表示モードにおいては編集部Ｇによって属性情報の表示形態を任意に設定できる点に本発明の特徴があり、以下にこれらの処理を説明する。
【００２７】
図６のフローチャートに示すように、下水施設の表示ルーチンが設定され、この表示ルーチンでは、前記管路表示部Ｄが施設データに基づき管路構成施設（下水道施設）を表示する処理を実行し（＃０１ステップ）、表示モードの判別結果が、第１表示モードである場合には第１表示モードでの表示処理を実行し（＃０２ステップ、＃１００ステップ）、表示モードの判別結果が第２表示モードである場合には第２表示モードでの表示処理を実行する（＃０２ステップ、＃２００ステップ）。
【００２８】
図７のフローチャートに示すように、前記第１表示モードでの表示処理（＃１００ステップ）では、汚水管の場合、前記絶対基準座標（Ｒ）と相対表示座標（Ｓ）とから求めた座標を基準にして、前記表示項目データに基づいて抽出した属性データに対応する属性情報を表示スタイルデータに基づいて表示する（＃１０１ステップ）。この属性データは基本的には２バイトのキャラクターコードで成るものであり、該属性情報表示手段Ｅは、夫々の属性データに対応した文字、数字、記号をキャラクタージェネレータで生成し、このように生成した文字、数字、記号を前記相対表示座標（Ｓ）を基準にし、かつ、前記表示スタイルデータに従ってディスプレイ２に対して表示するよう機能する。尚、マンホールＭに対応した属性情報の場合には引出し線に沿う形態で、属性情報を構成する改行コードにより平行する２列に表示される。この表示形態の場合、見かけ上は２列であるが、相対表示座標（Ｓ）は１つのマンホールＭに対して１つだけ設定される（＃１０１、＃１０２ステップ）。
【００２９】
この処理の際の具体的な情報の構造を図４のように示すことが可能である。つまり、データベースに保存された施設データに基づき、汚水管の場合には座標データ〔Ｐ（Ｘｐ，Ｙｐ）、Ｑ（Ｘｑ，Ｙｑ）〕の間に直線を描画する処理が実行された後に、絶対表示座標（Ｒ）に基づき相対表示座標〔Ｓ（Ｘｓ，Ｙｓ）〕を表示開始点を設定し、この表示開始点に対して属性データに基づいて生成された属性情報を列状に表示する処理が実行される。又、前述したように属性データから、その属性データに対応した文字、数字、記号をキャラクタージェネレータで生成する場合には、表示スタイルデータに基づき、引出し線を表示する必要がある場合には、引出し線を表示し、この表示スタイルデータに従い属性情報の並び、表示位置、サイズ・フォント、表示姿勢夫々を設定し、かつ、夫々の属性情報の間にスペースを配置する形態で表示される。
【００３０】
次に、この第１表示モードで表示を行っている状態で、ディスプレイ２に表示されたモード切換スイッチ（モード選択手段の一例・図示せず）、あるいは、キーボード３の特定のキーで構成された切換スイッチ（モード選択手段の一例）を操作してモードの切換を行った場合には（＃１０３ステップ）、モード切換処理を実行した後、表示モードを第２表示モードに設定する処理を行う（＃３００、＃１０４ステップ）。
【００３１】
前記モード切換処理（＃３００ステップ）は図８のフローチャートに示すように、設定画面をディスプレイ２に表示して任意に情報を入力することを許す（＃３０１ステップ）。この設定画面においては、その設定画面において〈１〉表示項目データ、〈２〉文字（属性情報）の並び（横／縦）、〈３〉文字（属性情報）の表示位置（上／下／左／右）、〈４〉文字（属性情報）の配置（左揃え／右揃え／中央）、〈５〉文字サイズ・フォント、〈６〉表示姿勢（角度）、〈７〉引出し線の有無夫々を任意に設定できるものである。そして、〈１〉表示項目データではディスプレイ２に表示すべき属性情報を指定する処理を可能にし、〈２〉文字（属性情報）の並び（横／縦）と、〈３〉文字（属性情報）の表示位置（上／下／左／右）と、〈４〉文字（属性情報）の配置（左揃え／右揃え／中央）とで相対表示座標（Ｔ〔後述するＴ１〜Ｔ６Ｂの上位概念〕・任意表示位置情報の一例）を基準とした文字（属性情報）の表示位置を設定し、〈５〉文字サイズ・フォントでは表示する文字のサイズと、フォントの種類とを設定し、〈６〉表示姿勢（角度）では文字を列状に表示する場合の列の傾斜角度の設定と同時に、文字の姿勢を設定する処理可能にするものである。
【００３２】
そして、この設定画面に基づいて任意に情報を入力した後には、表示されている施設データの絶対基準座標を取得し、表示すべき属性データの文字列と、文字列夫々の相対表示座標（任意表示位置情報の一例）とを取得する（＃３０２、＃３０３ステップ）。
【００３３】
このようにモードを切換るための情報を取得した後には、表示スタイルデータを生成すると共に、施設データに対応させて、相対表示座標と、属性データと、生成した表示スタイルとを施設データ領域に登録保存する（＃３０４、＃３０５ステップ）。この処理を終えた場合には、図５に示すように、施設データ領域に対して〈相対表示座標〉と、〈属性データ〉と、生成した〈表示スタイルデータ〉とが〈任意表示情報〉として新たに保存される。尚、同図においては１つの管路構成施設に対して６つの属性情報を表示するものを処理の対象としており、このモード切換処理により６つの属性情報夫々に対応して６つの〈相対座標情報（Ｔ１）〜（Ｔ６）〉と、これに対応して〈属性データ〉、〈表示スタイルデータ〉が保存されるものであり、第１表示モードから第２表示モードに切換えた際に、属性情報の表示位置を変更しない限り〈相対座標情報（Ｔ１）〜（Ｔ６）〉は、第１表示モードで表示される属性情報の表示位置と変わるものではない。
【００３４】
図９のフローチャートのように、第２表示モードでの表示処理ルーチンを表すことが可能であり、又、この表示処理ルーチンに対応した情報の伝達を図５のように示すことが可能である。つまり、汚水管の場合、前記絶対基準座標（Ｒ）と６つの相対表示座標（Ｔ１）〜（Ｔ６）とから求めた座標を基準にして、前記表示項目データに基づいて抽出した属性データに対応する属性情報を表示スタイルデータに基づいて表示する（＃２０１ステップ）。この処理においては第１表示モードでの表示と同様に、該属性情報表示部Ｅは、夫々の属性データに対応した文字、数字、記号をキャラクタージェネレータで生成し、このように生成した文字、数字、記号を前記相対表示座標を基準にし、かつ、前記表示スタイルデータに従ってディスプレイ２に対して表示するよう機能する。
【００３５】
この第２表示モードで属性情報が表示されている状況において、マウス４を操作してディスプレイ２に表示されているカーソルを属性情報と重ね合わせ、マウス４の左スイッチをＯＮ操作したまま任意の位置まで移動させる操作（所謂、ドラッグ操作）を行うことで、その属性情報を移動させた後の位置に表示させる処理を行えるよう処理形態を設定してあり、この変更後の座標を相対座標情報として保存する（＃２０２、＃２０３ステップ）。尚、この処理はマウス４での操作に限るものでは無く、キーボード３のカーソルキーを用いることや、汎用コンピュータがノート型の場合にはトラックパッドやトラックボールを使用することも可能である。
【００３６】
次に、この第２表示モードで属性情報が表示されている状況において、マウス４を操作してディスプレイ２に表示されているカーソルを属性情報と重ね合わせ、マウスの左スイッチをＯＮ操作して属性情報を選択した後に、マウスの右スイッチをＯＮした（編集を開始する操作を行った）場合には、ディスプレイ２に編集用の設定画面（図示せず）が表示され、この設定画面の表示に従って操作を行うことで属性情報の表示形態の編集処理を行えるよう構成されている（＃２０４、＃４００ステップ）。
【００３７】
この編集処理（＃４００ステップ）は前記編集部Ｇによって実現するものであり、その処理を図１０のフローチャートのように示すことが可能である。
【００３８】
つまり、前述したモード切換処理においてディスプレイ２に表示される設定画面と同様に、この編集処理における設定画面には、〈１〉表示項目データ、〈２〉文字（属性情報）の並び（横／縦）、〈３〉文字（属性情報）の表示位置（上／下／左／右）、〈４〉文字（属性情報）の配置（左揃え／右揃え／中央）、〈５〉文字サイズ・フォント、〈６〉表示姿勢（角度）、〈７〉引出し線の有無夫々を任意に設定できるよう構成してあり、この設定画面に対して任意に情報を入力した後には、表示スタイルデータを新たに生成し、施設データ領域の表示スタイルデータを更新する処理を実行するよう処理形態が設定されている（＃４０１、＃４０２ステップ）。
【００３９】
つまり、この編集処理においても前述したモード切換処理ルーチンにおいて設定画面に基づいて行った処理と同様に、〈１〉表示項目データではディスプレイ２に表示すべき属性情報を指定する処理を可能にし、〈２〉文字（属性情報）の並び（横／縦）と、〈３〉文字（属性情報）の表示位置（上／下／左／右）と、〈４〉文字（属性情報）の配置（左揃え／右揃え／中央）とで相対表示座標を基準とした文字（属性情報）の表示位置を設定し、〈５〉文字サイズ・フォントでは表示する文字のサイズと、フォントの種類とを設定し、〈６〉表示姿勢（角度）では文字を列状に表示する場合の列の傾斜角度の設定と同時に、文字の姿勢を設定する処理を可能にするものである。
【００４０】
このように第２表示モードの選択で〈任意表示情報〉が生成され保存された後、第２表示モードで属性情報を表示する処理が実行される場合には、管路構成施設の描画を行った後に、施設データ領域に保存された〈相対表示座標〉と、〈属性データ〉と、〈表示スタイルデータ〉とに基づき、ディスプレイ２に対して〈相対表示座標〉で示される位置に、〈属性データ〉に基づく属性情報を〈表示スタイルデータ〉に従って表示する処理が実行されるものとなる。これにより属性データ領域の〈属性データ〉を読み込む処理と、表示項目データ領域の〈表示項目データ〉を読み込む処理とを行わずに済むものにしている。
【００４１】
このように本発明では、管路構成施設を表示する場合には、ディスプレイ２に表示されたモード切換スイッチやキーボード３の特定のキーを操作しない場合には、第１表示モードで属性情報を表示するものとなり、この第１表示モードで属性情報を表示する場合には、管路Ｌに対応する属性情報を場合には絶対基準座標Ｒを基準にして相対表示座標Ｓで決まる位置に対して、表示スタイルデータに従って管路Ｌに沿って列状に複数の属性情報を表示する。又、この第１表示モードに代えて第２表示モードで属性情報を表示する場合には、表示スタイルを任意に変更できるばかりでなく、複数の属性情報を表示する相対表示座標（Ｔ１）〜（Ｔ６）、属性情報に対応する属性データ、属性情報を表示スタイルを決める表示スタイルデータ夫々を、管路構成施設の描画を行う施設データ領域に保存し、このように保存したデータ類を施設データ領域から読み出す形態で表示するので高速な処理を可能にするものにしており、しかも、第２表示モードでの表示を行っている際に、編集処理により表示位置や表示スタイルを任意に設定できるので認識しやすい位置に属性情報を配置できるものにしている。
【００４２】
〔別実施の形態〕
本発明は上記実施の形態以外に、例えば、下水道施設の他に、上水道施設、ガス供給施設、電力線、通信回線等のように地中に布設される対象を表示するよう構成することが可能である。又、特定の管路構成施設だけを指定した状態で、その施設だけを第２表示モードで表示するよう処理形態を設定することも可能である。このように一部だけを第２表示モードで表示する場合には、例えば、表示モードを変更すべき管路構成施設をカーソルで指示した後に、モード切換えスイッチ類を操作する処理形態となり、又、このように特定の管路構成施設の表示モードだけを第２表示モードに設定する場合には、第１表示モードで表示する対象と、第２表示モードで表示する対象とを識別する情報を生成することになる。
【図面の簡単な説明】
【図１】管路表示装置の斜視図
【図２】制御系のブロック回路図
【図３】ディスプレイに表示された管路構成施設を示す図
【図４】第１表示モードでのデータ構造と表示形態とを示す図
【図５】第２表示モードでのデータ構造と表示形態とを示す図
【図６】表示ルーチンのフローチャート
【図７】第１表示モードでの表示処理ルーチンを示すフローチャート
【図８】モード切換処理ルーチンのフローチャート
【図９】第２表示モードでの表示処理ルーチンを示すフローチャート
【図１０】編集処理ルーチンのフローチャート
【符号の説明】
２　　　　　　　ディスプレイ
４　　　　　　　ポインティングデバイス
Ｄ　　　　　　　管路表示手段
Ｅ　　　　　　　属性情報表示手段
Ｇ　　　　　　　編集手段
Ｓ　　　　　　　初期表示位置情報
Ｔ　　　　　　　任意表示位置情報
【図１】
2004127096.tif 000003
【図２】
2004127096.tif 000004
【図３】
2004127096.tif 000005
【図４】
2004127096.tif 000006
【図５】
2004127096.tif 000007
【図６】
2004127096.tif 000008
【図７】
2004127096.tif 000009
【図８】
2004127096.tif 000010
【図９】
2004127096.tif 000011
【図１０】
2004127096.tif 000012